(57)【特許請求の範囲】
【請求項１】
レーザ発光部であるレーザ素子と、レーザ受光部と、光軸上に配置される光学素子と、前記光学素子を駆動させる光学素子駆動装置と、前記レーザ素子と前記光学素子駆動装置と熱伝導性部材によって熱的に接続された放熱カバーと、前記レーザ光を光ディスク上に集光させるための対物レンズを保持する光ピックアップ筺体とを有する光ピックアップ装置において、
前記光学素子駆動装置は、動力源と、前記光学素子と、前記光学素子を支持する支持部材と、光学素子の光軸方向に固定されたガイド部材と、前記ガイド部材に沿って前記支持部材を光軸方向に駆動させる可動部材と、前記可動部材および前記動力源を前記光ピックアップ筺体に固定する固定部材とを有し、
前記固定部材の前記動力源を固定する固定面が、前記放熱カバーと当接していることを特徴とする光ピックアップ装置。
【請求項２】
請求項１記載の光ピックアップ装置であって、
前記固定部材の前記動力源を固定する固定面が、前記放熱カバーと略同一高さまで延長され、前記放熱カバーと当接していることを特徴とする光ピックアップ装置。
【請求項３】
請求項１記載の光ピックアップ装置であって、
前記放熱カバーの一部が折り曲げられた状態であり、その先端が前記固定部材と当接していることを特徴とする光ピックアップ装置。
【請求項４】
請求項１記載の光ピックアップ装置であって、
前記放熱カバーの一部が屈折部を有し、前記屈折部が孔を有し、前記固定部材が前記放熱カバーに設けた前記屈折部の前記孔に対応する突起部を有し、前記放熱カバーに設けた前記孔に前記固定部材に設けた前記突起部が挿入されるように係合していることを特徴とする光ピックアップ装置。
【請求項５】
請求項１記載の光ピックアップ装置であって、
前記放熱カバーの一部が前記固定部材へ向かう凸部を有し、前記凸部の先端が前記固定部材と当接していることを特徴とする光ピックアップ装置。
【請求項６】
請求項１から請求項５のいずれか一項に記載の光ピックアップ装置を具備することを特徴とする光ディスク装置。
【発明の詳細な説明】
【技術分野】
【０００１】
本発明は、光ディスクに情報の記録および再生を行う光ピックアップ装置に関する。
【背景技術】
【０００２】
光ピックアップ装置とは、光ディスク装置に搭載され、光ディスク上に情報を記録または、情報を読み取る際に照射するレーザ光を制御する装置である。光ディスク装置は、記憶容量の増大が求められており、これまでのＣＤ（Compact Disc）やＤＶＤ（Digital Versatile Disc）に加え、記録密度を向上させたＢＤ（Blu-ray Disc）に対応することが求められている。近年では、１枚の光ディスク上に複数の記録層を形成することで、一枚当たりの記録容量をさらに高めた光ディスクが実用化されている。
【０００３】
このような複数の記録層を持つ光ディスクには、光ピックアップ装置が情報を読み取ったり、記録したりする際に、各層の信号が干渉しないように、信号を分離するための中間層が各記録層の間に形成されている。多層化が進むにつれ、この中間層の数が増え、光ディスク表面から、記録層までの厚さが変化するため、球面収差の影響が大きくなる。この球面収差は、光軸から離れたレンズ周辺部に入射した光線の屈折量が過大となり、焦点距離がレンズに近い方にずれることによって生じる。そのため、球面収差は、レンズの開口数が大きくなるほど顕著に表れ、一般的に対物レンズの開口数の４乗に比例することが知られている。ＢＤでは、記録密度を高めるため、光ディスク上に形成するレーザスポット径を小さくする必要があり、開口数を大きくする必要がある。たとえばＣＤでは０.４５、ＤＶＤでは０.６であったが、ＢＤでは０.８５であることから、特にＢＤにおいて球面収差が大きな課題となる。
【０００４】
そのため近年では、この球面収差を補正する機構を搭載する光ピックアップ装置の提案がなされている。代表的な機構としては、たとえばレーザ光の光路中に、光軸方向に位置を変えることのできるコリメータレンズを追加することで、レーザ素子から射出されたレーザ光の収束，発散状態を制御し、球面収差を補正する構造が考案されている（特許文献１）。しかしながら、このような機構では、コリメータレンズを駆動させるためのステッピングモータ等の駆動装置が必要となる。
【０００５】
また、光ピックアップ装置においては、レーザ素子や電子回路部品など、発熱する部品が多く搭載されており、光ピックアップ装置の温度上昇が課題となっている。特にレーザ素子の出力特性は、高温になると劣化するという温度特性があるため、過度な温度上昇は情報の記録，再生精度の低下、さらには破損など光ピックアップ装置の信頼性の低下を招く。このため、光ピックアップ装置では、レーザ素子温度を保証温度以下とする設計がなされている。
【０００６】
さらに、球面収差を補正する機構を搭載する光ピックアップ装置では、球面収差を補正するためにステッピングモータが駆動する際に発熱する。このとき、レーザ素子とステッピングモータは同一の光ピックアップ筺体上に固定されているため、ステッピングモータの過度な温度上昇は、レーザ素子の温度上昇を招く。
【０００７】
特にＢＤの多層化が進むにつれ、ステッピングモータの駆動率が高まり、発熱量はさらに増大する。そのため、このステッピングモータの過度な温度上昇を防ぐ効果的な放熱構造が必須である。
【０００８】
この課題を解決するため、特許文献２では放熱カバーの一部を折り曲げ、モータと当接させることで冷却を進めている。
【先行技術文献】
【特許文献】
【０００９】
【特許文献１】特開２００９−８７３８２号公報
【特許文献２】特開２００９−５９４５７号公報
【発明の概要】
【発明が解決しようとする課題】
【００１０】
従来の構造では、モータと放熱カバーの接触面積が非常に小さいため、多層化が進み、発熱量が増大するステッピングモータを放熱するには、さらに放熱量を増大させる必要がある。コストおよび組立の容易さから、流動性のある放熱グリースをモータと放熱カバーの間に充填することで、放熱カバーに熱的に接続させ、ステッピングモータの冷却を進める手法が考えられる。
【００１１】
そして、光ディスクの多層化に伴い、発熱が増大するステッピングモータの放熱性を向上させるためには、放熱グリース塗布面積を増大させる必要がある。しかしながら、塗布面積を大きくするために、塗布量を増やすと、流動性のあるグリースは、組立時に可動部に漏出し、可動部が固着することがあり、モータの駆動を阻害するという課題が生じる。
【００１２】
そこで本発明は、部品点数を増やすことなく、グリースの可動部への漏出を防ぐことで、球面収差を補正する装置の信頼性が低下し、光ディスクへの情報の記録，再生精度が低下するという課題を解決する光ピックアップ装置、更には、光ディスク装置を提供するものである。
【課題を解決するための手段】
【００１３】
上記課題を解決するために、例えば特許請求の範囲に記載の構成を採用する。本願は上記課題を解決する手段を複数含んでいるが、その一例を挙げるならば、レーザ発光部であるレーザ素子と、レーザ受光部と、光軸上に配置される光学素子と、前記光学素子を駆動させる光学素子駆動装置と、前記レーザ素子と前記光学素子駆動装置と熱伝導性部材によって熱的に接続された放熱カバーと、前記レーザ光を光ディスク上に集光させるための対物レンズを保持する光ピックアップ筺体とを有する光ピックアップ装置において、前記光学素子駆動装置は、動力源と、前記光学素子と、前記光学素子を支持する支持部材と、光学素子の光軸方向に固定されたガイド部材と、前記ガイド部材に沿って前記支持部材を光軸方向に駆動させる可動部材と、前記可動部材および前記動力源を前記光ピックアップ筺体に固定する固定部材とを有し、前記固定部材の前記動力源を固定する固定面が、前記放熱カバーと当接していることを特徴とする。
【００１４】
ここで、前記レーザ素子と前記駆動装置は、たとえば流動性のある熱伝導グリースまたは接着剤を放熱カバーとの空間に充填することで熱的に接続するとしてよい。本発明において、動力源はたとえばステッピングモータであることとしてよく、光学素子はレーザの発散または収束状態を変化させるコリメータレンズとしてよい。また、可動部材はステッピングモータに接続したリードスクリューおよびナットとしてよい。
【発明の効果】
【００１５】
本発明によれば、光学素子駆動装置を有する光ピックアップ装置において、固定部材を放熱カバーと当接させることにより、動力源と放熱カバーの空間に充填した放熱グリースが、リードスクリューおよびナットから成る可動部に漏出することを防ぐことができ、信頼性の高い光ピックアップ装置を提供することができる。
【図面の簡単な説明】
【００１６】
【図１】光ピックアップ装置の概略構成の一例を示す概略平面図である。
【図２】第一の実施形態を適用した光ピックアップ装置における光学素子駆動装置の一例の概略斜視図である。
【図３】図１に示した光ピックアップ装置を裏面から見た際の概略構成を示す概略平面図である。
【図４】図２に示した光ピックアップ装置のＡ−Ａ′位置で切断した際の、第一の実施形態を適用した光学素子駆動装置の概略断面図である。
【図５】比較例の光ピックアップ装置における光学素子駆動装置の概略断面図である。
【図６】第二の実施形態を適用した光ピックアップ装置における光学素子駆動装置の構成を示した概略断面図である。
【図７】第三の実施形態を適用した光ピックアップ装置における光学素子駆動装置の構成を示した概略断面図である。
【図８】第四の実施形態を適用した光ピックアップ装置における光学素子駆動装置の構成を示した概略断面図である。
【図９】本発明の一実施形態になる光ディスク装置と、その内部における光ピックアップ装置の位置関係を示す概略平面図である。
【図１０】上記図１におけるＡ−Ａ′断面を示す断面図である。
【図１１】図９の光ピックアップ装置の外部構成を示した平面図である。
【発明を実施するための形態】
【００１７】
以下、実施例について図面を用いて説明する。
【００１８】
（第一の実施形態）
図１（ａ）は光ピックアップ装置１の概略構成を示す概略平面図であり、図１（ｂ）は図１（ａ）中の放熱カバー７ａを取り外した光ピックアップ装置１を示し、光学素子駆動装置の位置関係を示す概略平面図である。図２は光学素子駆動装置２０の概略斜視図である。図３は図１に示した光ピックアップ装置１を裏面から見た際の概略構成を示す概略平面図である。図４は図２に示した光ピックアップ装置１中のＡ−Ａ′断面における光学素子駆動装置２０の概略断面図である。図５は比較例の光ピックアップ装置１における光学素子駆動装置２０の概略断面図である。
【００１９】
第一の実施形態を、図を用いて以下に詳細を説明する。
【００２０】
図１（ａ）は、光ピックアップ装置１の概略平面図を示し、図１（ｂ）は図１（ａ）における放熱カバー７ａを取り外した光ピックアップ装置１における、概略構成を示す概略平面図である。光ピックアップ装置１は、光ピックアップ筺体６と、回転する光ディスク９上の情報の記録および再生を行うためのレーザ射出部であるレーザ素子２と、レーザ素子から射出されたレーザ光１２を光ディスク９に導くプリズム１１やミラー（図示せず）と、光ディスク９上にレーザ光を集光させる対物レンズ４と、対物レンズ４を駆動させる対物レンズ駆動装置５と、レーザ光の光路中に配置されたコリメータレンズ２３と、コリメータレンズ２３を駆動させる光学素子駆動装置２０と、レーザ光を検出する受光素子３を有する。さらにレーザ素子２から発生した熱を放熱するために、光ピックアップ筺体６に放熱カバー７ａを装着している。
【００２１】
図２は、第一の実施例を適用した光学素子駆動装置２０の構成の例を示している。光学素子駆動装置２０は、固定部材２５と、固定部材２５のステッピングモータの固定面２５ａに固定されたステッピングモータ２１と、ステッピングモータ２１に接続しているリードスクリュー２１ａと、コリメータレンズ２３と、コリメータレンズ２３を支持する支持部材２２と、支持部材２２と接合し、リードスクリュー２１ａに螺合するナット２１ｂと、コリメータレンズ２３の光軸方向と平行に光ピックアップ筺体に固定されたガイド部材２４ａ，２４ｂから成る。この光学素子駆動装置２０において、ステッピングモータ２１によって、リードスクリュー２１ａが回転する。それに伴いナット２１ｂが駆動し、ナット２１ｂに連動して支持部材２２が、ガイド部材２４ａ，２４ｂに沿って矢印１２で示す光軸方向に駆動するため、コリメータレンズ２３を駆動させることができる。
【００２２】
図３は、図１に示した光ピックアップ装置１の裏面から見た際の概略構成を示す概略平面図である。光ピックアップ筺体６の裏面にも、表面と同様に放熱カバー７ｂを装着している。
【００２３】
図４は、図３に示した光ピックアップ装置１中のＡ−Ａ′位置の断面を示し、第一の実施形態を適用した光学素子駆動装置２０の構成を示している。ステッピングモータ２１は固定部材２５の固定面２５ａに固定され、固定部材２５とともに接着剤８によって光ピックアップ筺体６に固定されている。このとき、固定部材２５のステッピングモータ２１と接着している固定面２５ａは、放熱カバー７ｂと略同一の高さまで延長され、放熱カバー７ｂと当接している。また、ステッピングモータ２１と放熱カバー７ｂを熱的に接続するため、放熱グリース３０をステッピングモータ２１と放熱カバー７ｂとの間に充填している。レーザ素子２はレーザ素子２を保持するレーザホルダ２ａを介して光ピックアップ筺体６に接着されている。レーザ素子２も、ステッピングモータ２１と同様に、レーザホルダ２ａと放熱カバー７ｂの間を熱的に接続するため、熱伝導グリースである放熱グリース３０が充填されている。これにより、ステッピングモータ２１およびレーザ素子２の駆動によって生じた熱は、放熱カバー７ｂに伝えられ、放熱カバー７ｂから大気中に放熱される。
【００２４】
各構成要素の材料は、たとえば光ピックアップ筺体６およびレーザホルダ２ａはマグネシウムダイカスト，亜鉛ダイカスト，アルミダイカスト，プラスチックなどが用いられる。ステッピングモータ２１の固定部材２５は鉄合金などが用いられる。支持部材２２およびナット２１ｂはプラスチックなどが用いられる。放熱カバー７ａ，７ｂはアルミニウム，銅，めっき鋼板などが用いられる。また、放熱グリース３０は熱伝導性の接着剤などを用いてもよい。
【００２５】
次に、図１を用いて、ステッピングモータ２１を用いてレーザ光の球面収差を補正する原理について、説明する。
【００２６】
レーザ素子２から射出されたレーザ光１２は光ピックアップ装置１内に固定されるプリズム１１，ミラー（図示せず）を介して対物レンズ駆動装置５に導かれ、対物レンズ４によって光ディスク９上に集光され、スポットを形成する。このとき、保護層の厚さの異なる光ディスク９や、複数の記録層を持つ光ディスク９への情報の記録や読み出しを行う際に球面収差がおこり、光ディスク９への情報の記録，再生精度が低下するという課題がある。そこで、レーザ光１２の光路中に、発散するレーザ光を平行光に変換するコリメータレンズ２３を配置し、ステッピングモータ２１によってコリメータレンズ２３を光軸方向に駆動させることで、レーザの収束，発散状態を制御し、光ディスク９上で起こる球面収差を補正する。
【００２７】
一方で、光ディスク９の記録密度を向上させるため、多層化が進むと、球面収差を補正する装置の駆動率が向上する。それに伴い、ステッピングモータ２１の発熱量が増大し、ステッピングモータ２１の温度上昇が課題となる。そのため、ステッピングモータ２１の放熱性能を高める必要がある。
【００２８】
ここで、ステッピングモータ２１の放熱について、図５に示した比較例の光学素子駆動装置２０の概略断面図を用いて説明する。光学素子駆動装置２０を組み立てる際に、まず、リードスクリュー２１ａを回転させるステッピングモータ２１が、固定部材２５の固定面２５ａに固定され、固定部材２５とともに光ピックアップ筺体６に接着剤８によって固定される。次に、流動性のある放熱グリース３０をステッピングモータ２１に塗布し、最後に放熱カバー７ｂを取り付ける。このとき、駆動時に発熱するステッピングモータ２１と放熱カバー７ｂが放熱グリース３０によって熱的に接続され、ステッピングモータ２１の熱は放熱グリース３０を介して放熱カバー７ｂに伝わり、放熱される。そのため、ステッピングモータ２１の放熱性能を高めるためには、放熱グリース３０の充填量を増やし、塗布面積を大きくする必要がある。しかしながら、比較例の構造において、放熱グリース３０の充填量を増大させると、放熱カバー７ｂを装着する際に、ステッピングモータ２１部から固定部材２５の固定面２５ａを超えてリードスクリュー２１ａおよびナット２１ｂから成る可動部に放熱グリース３０が漏出しやすくなる。放熱グリース３０が可動部に漏出すると、リードスクリュー２１ａおよびナット２１ｂに固着するため、リードスクリュー２１ａおよびナット２１ｂが駆動できず、球面収差が補正できないため、光ディスク９上への情報の記録，再生精度が低下する。
【００２９】
しかしながら、図４に示すように、第一の実施例を適用した光学素子駆動装置２０では、固定部材２５の一部であるステッピングモータの固定面２５ａを、放熱カバー７ｂと略同一の高さまで延長し、放熱カバー７ｂに当接しているステッピングモータの固定面２５ａによって、放熱グリース３０が充填される領域と、リードスクリュー２１ａおよびナット２１ｂから成る可動部が分けられているため、放熱カバー７ｂを光ピックアップ装置１に組み込む際に、流動性のある放熱グリース３０は、放熱カバー７ｂに当接しているステッピングモータの固定面２５ａによってせき止められ、放熱グリース３０のリードスクリュー２１ａ部への漏出を防ぐことが可能となる。
【００３０】
また、ステッピングモータの固定面２５ａの高さを一定にすることで、放熱カバー７ｂを取り付ける際に、放熱グリース３０が充填される厚さを一定に保つことができる。放熱グリース３０の放熱性能は厚さに反比例することから、組立時のステッピングモータ２１の放熱性能を一定に保つことができ、組立時の管理が容易になる。
【００３１】
さらに、ステッピングモータの固定面２５ａを放熱カバー７ｂに当接させることで、ステッピングモータ２１から放熱カバー７ｂまで放熱する経路が、放熱グリース３０に加えて、ステッピングモータの固定面２５ａを介して固定部材２５からも放熱されるため、効率的にステッピングモータ２１を冷却することができる。以上から、放熱グリース３０がリードスクリュー２１ａ部に漏出することで、可動部に固着し、球面収差の補正が阻害されることを防ぎ、さらに、ステッピングモータ２１の放熱性能を向上させることができ、光ディスク９上への情報の記録，再生精度の低下を抑えることが可能となる。
【００３２】
（第二の実施形態）
図６（ａ）は第二の実施形態を適用した光ピックアップ装置１を裏面から見た概略平面図であり、図６（ｂ）は図６（ａ）中のＢ−Ｂ′における光学素子駆動装置２０の概略断面図である。
【００３３】
第一の実施形態（図１及び図２参照）と同様に、光学素子駆動装置２０は、ステッピングモータ２１と、ステッピングモータ２１に接続しているリードスクリュー２１ａと、コリメータレンズ２３と、コリメータレンズ２３を支持する支持部材２２と、支持部材２２と接合し、リードスクリュー２１ａに螺合するナット２１ｂから成る。
【００３４】
このとき、ステッピングモータ２１と、リードスクリュー２１ａおよびナット２１ｂから成る可動部を分ける構造は、ステッピングモータの固定面２５ａによって形成されていなくともよく、たとえば、放熱カバー７ｂの一部をステッピングモータ２１の固定面２５ａに向かって略Ｌ型に折り曲げ、屈折部２６ａを形成し、この屈折部２６ａを、ステッピングモータ２１の固定面２５ａと当接させることで、ステッピングモータ２１と放熱カバー７ｂの間に充填した放熱グリース３０とリードスクリュー２１ａおよびナット２１ｂから成る可動部を分けてもよい。これにより、光ピックアップ装置１を組み立てる際に、流動性のある放熱グリース３０がリードスクリュー２１ａおよびナット２１ｂから成る可動部に漏出することを防ぐことができる。また、放熱カバー７ｂをステッピングモータの固定面２５ａに当接させることで、ステッピングモータ２１から放熱カバー７ｂまで放熱する経路が、放熱グリース３０を介した経路だけでなく、ステッピングモータの固定面２５ａを介して放熱カバー７ｂに伝わる経路も増え、効率的にステッピングモータ２１を冷却することができる。
【００３５】
さらに、放熱カバー７ｂと放熱グリース３０の接触面積を増大させることができるため、ステッピングモータ２１の熱をより効率的に放熱カバー７ｂに伝えることができる。以上から、放熱グリース３０がリードスクリュー２１ａ部に漏出することで、可動部に固着し、球面収差の補正が阻害されることを防ぎ、さらに、ステッピングモータ２１の放熱性能を向上させることができ、光ディスク９上への情報の記録，再生精度の低下を抑えることが可能となる。
【００３６】
（第三の実施形態）
図７は第一の実施形態の光ピックアップ装置１に搭載される光学素子駆動装置２０をベースにした変形形態となる第三の実施形態の光ピックアップ装置１に搭載される光学素子駆動装置２０を示す。
【００３７】
第一の実施形態と同様に、光学素子駆動装置２０は、ステッピングモータ２１と、ステッピングモータ２１に接続しているリードスクリュー２１ａと、コリメータレンズ２３と、コリメータレンズ２３を支持する支持部材２２と、支持部材２２と接合し、リードスクリュー２１ａに螺合するナット２１ｂから成る。
【００３８】
また、放熱カバー７ｂの一部をステッピングモータ２１の固定面２５ａに向かって略Ｌ型に折り曲げ、屈折部２６ａを形成する。この屈折部２６ａを、ステッピングモータ２１の固定面２５ａと当接させることで、ステッピングモータ２１と放熱カバー７ｂの間に充填した放熱グリース３０とリードスクリュー２１ａおよびナット２１ｂから成る可動部を分ける。これにより、光ピックアップ装置１を組み立てる際に、流動性のある放熱グリース３０がリードスクリュー２１ａおよびナット２１ｂから成る可動部に漏出することを防ぐことができる。
【００３９】
ここで、放熱カバー７ｂの屈折部２６ａと固定部材２５のステッピングモータ２１の固定面２５ａは当接させるだけでなく、固定面２５ａに突起部２５ｂを設け、放熱カバー７ｂの屈折部２６ａの突起部である放熱カバーの突起部２５ｂに対応する部分に放熱カバーの孔部２６ｂを設け、固定面２５ａの突起部２５ｂが挿入するように係合させてもよい。ただし、固定面２５ａに孔部を設け、放熱カバー７ｂの屈折部である放熱カバーの屈折部２６ａの固定面２５ａに対応する部分に突起部を設けてもよい。
【００４０】
また、放熱カバー７ｂおよびステッピングモータ２１の固定部材２５を係合させることで、ステッピングモータ２１から放熱カバー７ｂへの放熱経路が、放熱グリース３０だけでなく、固定部材２５を介して放熱カバー７ｂに放熱することができる。
【００４１】
さらに、ステッピングモータの固定面２５ａと放熱カバー７ｂを係合させていることから、放熱カバー７ｂとステッピングモータの固定面２５ａが接触する面積が増え、固定部材２５を介したステッピングモータ２１の放熱性能を高めることができる。
【００４２】
また、光ピックアップ装置１の落下などの衝撃を加えた際に、放熱カバー７ｂは固定部材２５と係合されていることから、放熱カバー７ｂの浮き上がりを防ぐことができ、放熱グリース３０と放熱カバー７ｂの密着性が低下することで放熱性能が低下することを防ぐことができる。
【００４３】
以上から、放熱グリース３０がリードスクリュー２１ａ部に漏出することで、可動部に固着し、球面収差の補正が阻害されることを防ぎ、さらに、ステッピングモータ２１の放熱性能を向上させることができ、光ディスク９上への情報の記録，再生精度の低下を抑えることが可能となる。
【００４４】
（第四の実施形態）
図８は第一の実施形態の光ピックアップ装置１に搭載される光学素子駆動装置２０をベースにした変形形態となる第四の実施形態の光ピックアップ装置１に搭載される光学素子駆動装置２０を示す。
【００４５】
第一の実施形態と同様に、光学素子駆動装置２０は、ステッピングモータ２１と、ステッピングモータ２１に接続しているリードスクリュー２１ａと、コリメータレンズ２３と、コリメータレンズ２３を支持する支持部材２２と、支持部材２２と接合し、リードスクリュー２１ａに螺合するナット２１ｂから成る。
【００４６】
このとき、ステッピングモータ２１と、リードスクリュー２１ａおよびナット２１ｂから成る可動部は固定部材２５のステッピングモータ２１の固定面２５ａによって分けられていなくともよく、放熱カバー７ｂに固定部材２５に向かって凸部２６ｃを形成し、その凸部２６ｃを固定部材２５のステッピングモータ２１の固定面２５ａと当接させてもよい。これにより、光ピックアップ装置１を組み立てる際に、流動性のある放熱グリース３０がリードスクリュー２１ａおよびナット２１ｂから成る可動部に漏出することを防ぐことができる。
【００４７】
さらに、放熱カバー７ｂに形成した凸部２６ｃを固定部材２５のステッピングモータ固定面２５ａに当接させることで、ステッピングモータ２１から放熱カバー７ｂまで放熱する経路が、放熱グリース３０を介した経路だけでなく、固定面２５ａを介して放熱カバー７ｂに伝わり、効率的にステッピングモータ２１を放熱することができる。
【００４８】
このとき、放熱カバー７ｂに形成した凸部２６ｃはステッピングモータ２１に当接させてもよく、ステッピングモータ２１から放熱カバー７ｂに放熱する経路が形成されるため、効率的にステッピングモータ２１を放熱することができる。
【００４９】
また、放熱カバー７ｂを切り欠くことなく、ステッピングモータ２１の固定面２５ａに当接させることができ、放熱カバー７ｂの強度を低下させることなくステッピングモータ２１の放熱性能を高めることができる。
【００５０】
以上から、放熱グリース３０がリードスクリュー２１ａ部に漏出することで、可動部に固着し、球面収差の補正が阻害されることを防ぎ、さらに、ステッピングモータ２１の放熱性能を向上させることができ、光ディスク９上への情報の記録，再生精度の低下を抑えることが可能となる。
【００５１】
（第五の実施形態）
次に、図９から図１１を用いて、本発明の第五の実施形態として、上述した本発明の実施例の光ピックアップ装置を具備する光ディスク装置について説明する。
【００５２】
図９は、光ピックアップ装置１０１を搭載した光ディスク装置１２１の概略内部構成の一例を示す平面図である。図１０は、光ピックアップ装置１０１を搭載した光ディスク装置１２１の概略内部構成を示す平面図である。すなわち、図１０は、上記図９中のＡ−Ａ′断面の概略図である。
【００５３】
これらの図からも明らかなように、光ディスク装置１２１では、外形略箱状の筐体１００内において、外部から装填された光ディスク１０７がスピンドルモータ１２２によって回転させられている（回転方向１０７ａ）。光ピックアップ装置１０１は光ディスク装置１２１のメカカバー１２６の下に配置される。そして、当該光ディスク装置１２１では、光ディスク１０７の回転によって光ディスク１０７の回転方向に空気流１０８が生じ、光ディスク１０７と光ピックアップ装置１０１との隙間１２６ａを流れる。
【００５４】
図１１は、上述した光ピックアップ装置１０１の概略内部構成を示す平面図であり、図１１は、放熱カバー１１２および対物レンズ駆動装置カバー１０６を実装した光ピックアップ装置１０１を示している。図１１から明らかなように、光ピックアップ装置１０１は、一対の案内軸である主軸１２４，副軸１２５によって移動可能に支持される。そして、ステッピングモータ１２３を回転駆動させることにより、リードスクリュー１２７が回転し、リードスクリュー１２７に係合される部材１２８に連結された光ピックアップ装置１０１が光ディスク１０７の半径方向に移動する。光ピックアップ装置１０１の対物レンズ１３３，１３４は、対物レンズ支持筐体１３２に支持される。
【００５５】
上述した光ピックアップ装置１０１を搭載した光ディスク装置１２１において、再生・記録動作を行う際、光ディスク１０７は矢印１０７ａ方向（図９又は図１０を参照）に回転する。光ディスク７の回転速度は、本例では最速で５５００rpm程度に達する。
【００５６】
以上によれば、信頼性の高い光ピックアップ装置を具備するため、信頼性の高い光ディスク装置を提供することができる。
【００５７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、各図において同一の符号を付された構成は、同一の機能を有するので、他の図においてそれらの説明を省略する場合がある。
【符号の説明】
【００５８】
１，１０１  光ピックアップ装置
２  レーザ素子
２ａ  レーザホルダ
３  レーザ受光素子
４  対物レンズ
５  対物レンズ駆動装置
６  光ピックアップ筺体
７ａ，７ｂ  放熱カバー
８  接着剤
９，１０７  光ディスク
１１  プリズム
１２  レーザ光
２０  光学素子駆動装置
２１  ステッピングモータ
２１ａ  リードスクリュー
２１ｂ  ナット
２２  支持部材
２３  コリメータレンズ
２４ａ，２４ｂ  ガイド部材
２５  固定部材
２５ａ  ステッピングモータの固定面
２５ｂ  固定部材の突起部
２６ａ  放熱カバーの屈折部
２６ｂ  放熱カバーの孔部
２６ｃ  放熱カバーの凸部
３０  放熱グリース
【図１】
0005211118.tif 000002
【図２】
0005211118.tif 000003
【図３】
0005211118.tif 000004
【図４】
0005211118.tif 000005
【図５】
0005211118.tif 000006
【図６】
0005211118.tif 000007
【図７】
0005211118.tif 000008
【図８】
0005211118.tif 000009
【図９】
0005211118.tif 000010
【図１０】
0005211118.tif 000011
【図１１】
0005211118.tif 000012